(57)【要約】 【課題】  種々の大きさの計器に対して装着することができる計器カバーとする。【解決手段】  伸縮部２４の伸び縮みにより、計器カバー３の幅方向の大きさを調節して幅方向の大きさに対応し、上カバー２１と下カバー２２を互いに摺動させることにより、計器カバー３の上下方向の大きさを調節して上下方向の大きさに対応し、種々の大きさの計器に対して装着できるようにする。【選択図】      図３
2007114114.tif 000002
【特許請求の範囲】
【請求項１】
計器を覆う計器カバーであって、幅方向に対して大きさを可変にする幅可変手段を備えたことを特徴とする計器カバー。
【請求項２】
請求項１において、
計器側に固定される幅固定部を備え、幅固定部の幅方向の位置を幅可変手段に連動して可変にする幅固定部変更手段を備えたことを特徴とする計器カバー。
【請求項３】
計器を覆う計器カバーであって、上下方向に対して大きさを可変にする上下可変手段を備えたことを特徴とする計器カバー。
【請求項４】
請求項３において、
計器側に固定される上下固定部を備え、上下固定部の上下方向の位置を上下可変手段に連動して可変にする上下固定部変更手段を備えたことを特徴とする計器カバー。
【請求項５】
計器を覆う計器カバーであって、幅方向に対して大きさを可変にする幅可変手段を備えると共に、上下方向に対して大きさを可変にする上下可変手段を備えたことを特徴とする計器カバー。
【請求項６】
請求項５において、
計器側に固定される幅固定部を備え、幅固定部の幅方向の位置を幅可変手段に連動して可変にする幅固定部変更手段を備える一方、計器側に固定される上下固定部を備え、上下固定部の上下方向の位置を上下可変手段に連動して可変にする上下固定部変更手段を備えたことを特徴とする計器カバー。
【請求項７】
請求項１、請求項２、請求項５、請求項６のいずれか一項において、
幅可変手段は、蛇腹状の可変部位を備えたことを特徴とする計器カバー。
【請求項８】
請求項３乃至請求項６のいずれか一項において、
上下可変手段は、上部と下部にカバーが分割され、上部と下部がスライド自在な重なり部を介して接続されていることを特徴とする計器カバー。
【請求項９】
請求項１乃至請求項８のいずれか一項において、覆われる計器が電力量計であることを特徴とする計器カバー。
【発明の詳細な説明】
【技術分野】
【０００１】
本発明は、電力量計等の様々な計器を覆う計器カバーに関する。
【背景技術】
【０００２】
電力量計等の計器を屋外に取付ける際は計器箱の中に計器を収納している。計器箱はベースとカバーとを有し、ベースが壁面等に設置されて計器がベースに収納（取り付け）される。計器が収納されたベース（計器）にカバーを取り付けることにより計器がカバーに覆われ、雨等の環境から計器が保護されるようになっている。
【０００３】
電力量計等の計器には様々な種類があり、型式等によってベースに対するねじ穴間隔が異なっている。そこで、従来から、様々な種類の計器を取り付けることができるようにするため、計器箱のベースに多数の取付穴を設け、異なるねじ穴間隔を有する多種の計器に対応していた（特許文献１参照）。このため、一つのベースに対して複数の計器を取り付けることができる。
【０００４】
【特許文献１】実開平２−２７５１３号公報
【発明の開示】
【発明が解決しようとする課題】
【０００５】
しかし、一つのベースに対して複数の計器を取り付けることができるものの、カバーに関しては計器の大きさに応じて複数種類が用意され、異なる計器に対してはカバーを変更して計器に合ったカバーを使用しているのが現状である。このため、カバーを複数用意する必要があり、コストが増加し在庫管理が必要になっている。
【０００６】
本発明は上記状況に鑑みてなされたもので、種々の大きさの計器に対して装着することができる計器カバーを提供することを目的とする。
【課題を解決するための手段】
【０００７】
上記目的を達成するための本発明の第１の態様は、計器を覆う計器カバーであって、幅方向に対して大きさを可変にする幅可変手段を備えたことを特徴とする計器カバーにある。
【０００８】
第１の態様では、幅方向に大きさの異なる計器に装着する場合、幅方向可変手段により幅方向の大きさを変更して対応する。
【０００９】
本発明の第２の態様は、第１の態様において、計器側に固定される幅固定部を備え、幅固定部の幅方向の位置を幅可変手段に連動して可変にする幅固定部変更手段を備えたことを特徴とする計器カバーにある。
【００１０】
第２の態様では、幅固定部変更手段により幅固定部の位置も変更して対応することができる。
【００１１】
上記目的を達成するための本発明の第３の態様は、計器を覆う計器カバーであって、上下方向に対して大きさを可変にする上下可変手段を備えたことを特徴とする計器カバーにある。
【００１２】
第３の態様では、上下方向に大きさの異なる計器に装着する場合、上下方向可変手段により上下方向の大きさを変更して対応する。
【００１３】
本発明の第４の態様は、第３の態様において、計器側に固定される上下固定部を備え、上下固定部の上下方向の位置を上下可変手段に連動して可変にする上下固定部変更手段を備えたことを特徴とする計器カバーにある。
【００１４】
第４の態様では、上下固定部変更手段により上下固定部の位置も変更して対応することができる。
【００１５】
上記目的を達成するための本発明の第５の態様は、計器を覆う計器カバーであって、幅方向に対して大きさを可変にする幅可変手段を備えると共に、上下方向に対して大きさを可変にする上下可変手段を備えたことを特徴とする計器カバーにある。
【００１６】
第５の態様では、異なる計器に装着する場合、幅方向可変手段により幅方向の大きさを変更して幅方向の大きさに対応し、上下方向可変手段により上下方向の大きさを変更して上下方向の大きさに対応する。
【００１７】
本発明の第６の態様は、第５の態様において、計器側に固定される幅固定部を備え、幅固定部の幅方向の位置を幅可変手段に連動して可変にする幅固定部変更手段を備える一方、計器側に固定される上下固定部を備え、上下固定部の上下方向の位置を上下可変手段に連動して可変にする上下固定部変更手段を備えたことを特徴とする計器カバーにある。
【００１８】
第６の態様では、幅固定部変更手段により幅固定部の位置も変更して対応すると共に、上下固定部変更手段により上下固定部の位置も変更して対応することができる。
【００１９】
本発明の第７の態様は、第１、第２、第５、第６のいずれかの態様において、幅可変手段は、蛇腹状の可変部位を備えたことを特徴とする計器カバーにある。
【００２０】
第７の態様では、蛇腹状の可変部位を調節することで幅方向の大きさを変更することができる。
【００２１】
本発明の第８の態様は、第３〜第６のいずれかの態様において、上下可変手段は、上部と下部にカバーが分割され、上部と下部がスライド自在な重なり部を介して接続されていることを特徴とする計器カバーにある。
【００２２】
第８の態様では、重なり部の重なり状況を調節することで上下方向の大きさを変更することができる。
【００２３】
本発明の第９の態様は、第１〜第８のいずれかの態様において、覆われる計器が電力量計であることを特徴とする計器カバーにある。
【００２４】
第９の態様では、電力量計のカバーとして適用することができる。
【発明の効果】
【００２５】
本発明の計器カバーは、種々の大きさの計器に対して装着することができる計器カバーとなる。
【発明を実施するための最良の形態】
【００２６】
図１には本発明の一実施形態例に係る計器カバーを備えた計器箱の正面視、図２には図１中のＩＩ−ＩＩ線矢視、図３には本発明の一実施形態例に係る計器カバーの正面、図４には図３中のＩＶ−ＩＶ線矢視（上面視）、図５には図３中のＶ−Ｖ線矢視（側面視）、図６には図５中のＶＩ−ＶＩ線矢視（裏面視）、図７には計器取り付け金具の分解斜視を示してある。
【００２７】
図１、図２に示すように、計器箱１は、壁面等に固定されるベース２を備え、ベース２を覆う計器カバー３を備えている。ベース２には計器４（例えば、電力量計）が固定され、計器４が固定されたベース２に計器カバー３が取り付けられることにより計器４が計器カバー３で覆われる。計器カバー３には窓部５が設けられ、計器４の目盛表示部６が窓部５を通して視認できるようにされている。そして、計器カバー３には、幅方向に対して大きさを可変にする幅可変手段１１が備えられると共に、上下方向に対して大きさを可変にする上下可変手段１２が備えられている。幅可変手段１１により幅方向の大きさが調節され、上下可変手段１２により上下方向の大きさが調節される。
【００２８】
尚、ベース２と計器カバー３とを総称して計器カバーとすることも可能であり、この場合、ベース２及び計器カバー３に幅可変手段１１、上下可変手段１２を備え、ベース２及び計器カバー３を一体状態にして大きさを調節する。
【００２９】
図３乃至図６に基づいて計器カバー３の構成を詳細に説明する。
【００３０】
図に示すように、計器カバー３は上カバー２１と下カバー２２とに分割され、上カバー２１と下カバー２２は互いに上下方向に摺動自在に嵌合している。つまり、スライド自在な重なり部を介して上カバー２１と下カバー２２が接続されている（上下可変手段１２）。上カバー２１と下カバー２２を上下方向で互いに摺動させることにより、計器カバー３の上下方向の大きさが調節される。
【００３１】
尚、図５に示すように、上カバー２１が下カバー２２の前面側に配され、摺動部には図示しないシール材が設けられている。これにより、計器カバー３が上下に分割されていても、雨などの水滴が計器カバー３内に浸入することがない。
【００３２】
また、図に示すように、計器カバー３の側部には蛇腹状の伸縮部２４が形成され、伸縮部２４は幅方向に伸び縮みが自在とされている。つまり、蛇腹状の可変部位を備えている（幅可変手段１１）。伸縮部２４の伸び縮みにより計器カバー３の幅方向の大きさが調節される。
【００３３】
上述した計器カバー３は、幅可変手段１１及び上下可変手段１２を備えたものを例に挙げて説明したが、いずれか一方のみを備えることも可能である。また、幅可変手段１１として２分割のケースを摺動自在に嵌合する構成とすることも可能であり、上下可変手段１２として蛇腹状の伸縮部を備える構成とすることも可能である。
【００３４】
図６、図７に示すように、計器カバー３の内側の四隅には計器取り付け金具としての水平金具３１（幅固定部）が設けられ、水平金具３１は矩形状の金具が水平に配されている。水平金具３１には複数の穴３２が設けられている。また、計器カバー３の内側の側部の２箇所には計器取り付け金具としての上下金具３５（上下固定部）が設けられ、上下金具３５は矩形状の金具が上下方向に配されている。上下金具３５には複数の穴３６が設けられている。
【００３５】
計器カバー３を装着する際に、例えば、計器４（図１、図２参照）側に突起を複数箇所設置し、水平金具３１の穴３２及び上下金具３５の穴３６を所望の突起に嵌合することで、計器カバー３が計器４（図１、図２参照）側に取り付け固定される。
【００３６】
水平金具３１は一対の板部材３１ａ、３１ｂがスライド自在に設けられ（図７参照）、それぞれ伸縮部２４をまたいで配されている。伸縮部２４を伸縮させて計器カバー３の幅方向の大きさを調節すると、それに連動して水平金具３１の一対の板部材がスライドし、水平金具３１の大きさが調節される（幅固定部変更手段）。
【００３７】
上下金具３５は一対の板部材３５ａ、３５ｂがスライド自在に設けられ（図７参照）、それぞれ上カバー２１、下カバー２２をまたいで配されている。上カバー２１と下カバー２２を互いに摺動させて計器カバー３の上下方向の大きさを調節すると、それに連動して上下金具３５の一対の板部材がスライドし、上下金具３５の大きさが調節される（上下固定部変更手段）。
【００３８】
上述した計器カバー３を異なる大きさの計器に装着する場合、伸縮部２４の伸び縮みにより計器カバー３の幅方向の大きさを調節して幅方向の大きさに対応し、上カバー２１と下カバー２２を互いに摺動させることにより、計器カバー３の上下方向の大きさを調節して上下方向の大きさに対応する。そして、伸縮部２４の伸び縮みに連動して水平金具３１の一対の板部材がスライドし、水平金具３１の大きさが調節されると共に、上カバー２１と下カバー２２の摺動に連動して上下金具３５の一対の板部材がスライドし、上下金具３５の大きさが調節される。
【００３９】
従って、蛇腹状の可変部位を調節することで幅方向の大きさを変更することができる計器カバー３となると共に、重なり部の重なり状況を調節することで上下方向の大きさを変更することができる計器カバー３となり、電力量計のカバーとして適用することができる。
【００４０】
このため、型式等が異なる種々の大きさの計器に対して装着することができる計器カバー３とすることが可能になる。これにより、計器カバー３を一種類準備することで異なる計器に対して対応可能になり、コストを低減することが可能になると共に在庫管理が簡単になる。
【００４１】
尚、計器カバー３として電力量計のカバーに適用した場合を例に挙げて説明したが、他の計器類のカバーとして適用することが可能になる。
【産業上の利用可能性】
【００４２】
本発明は、電力量計等の様々な計器を覆う計器カバーの産業分野で利用することができる。
【図面の簡単な説明】
【００４３】
【図１】本発明の一実施形態例に係る計器カバーを備えた計器箱の正面図である。
【図２】図１中のＩＩ−ＩＩ線矢視図である。
【図３】本発明の一実施形態例に係る計器カバーの正面図である。
【図４】図３中のＩＶ−ＩＶ線矢視図である。
【図５】図３中のＶ−Ｖ線矢視図である。
【図６】図５中のＶＩ−ＶＩ線矢視図である。
【図７】計器取り付け金具の分解斜視図である。
【符号の説明】
【００４４】
１  計器箱
２  ベース
３  計器カバー
４  計器
５  窓部
６  目盛表示部
１１  幅可変手段
１２  上下可変手段
２１  上カバー
２２  下カバー
２４  伸縮部
３１  水平金具
３２、３６  穴
３５  上下金具
【図１】
2007114114.tif 000003
【図２】
2007114114.tif 000004
【図３】
2007114114.tif 000005
【図４】
2007114114.tif 000006
【図５】
2007114114.tif 000007
【図６】
2007114114.tif 000008
【図７】
2007114114.tif 000009